(57)【要約】  本発明は、偏光光学モジュール、ＯＬＥＤデバイス及び製造方法、表示装置に関する。前記偏光光学モジュール（７）は、コレステリック相液晶層（８）、λ／４波長板（６）及び直線偏光板（５）を含み、前記λ／４波長板（６）は前記コレステリック相液晶層（８）と前記直線偏光板（５）との間に設けられ、前記λ／４波長板（６）の進相軸又は遅相軸は前記直線偏光板（５）の光透過軸と夾角をなし、且つ外光が前記直線偏光板（５）、前記λ／４波長板（６）を順次に通してなる偏光は、前記コレステリック相液晶層（８）を透過することができる。前記表示装置は外光の反射を減少させる前提で、光出射量を増やすことができる。
2019522807.tif 000002
【特許請求の範囲】
【請求項１】
コレステリック相液晶層、λ／４波長板及び直線偏光板を含む偏光光学モジュールであって、
前記λ／４波長板は前記コレステリック相液晶層と前記直線偏光板の間に設けられ、前記λ／４波長板の進相軸又は遅相軸は前記直線偏光板の光透過軸と夾角をなし、且つ外光が前記直線偏光板、前記λ／４波長板を順次に通してなる偏光は、前記コレステリック相液晶層を透過することができることを特徴とする偏光光学モジュール。
【請求項２】
前記コレステリック相液晶層は重合性コレステリック相液晶が重合してなる高分子薄膜である、請求項１に記載の偏光光学モジュール。
【請求項３】
前記コレステリック相液晶層はピッチが異なるコレステリック相液晶を少なくとも２種含む、請求項１又は２に記載の偏光光学モジュール。
【請求項４】
前記コレステリック相液晶層は複数のサブ層を含み、厚み方向に沿って全てのサブ層のピッチが勾配分布している、請求項１〜３のいずれか１項に記載の偏光光学モジュール。
【請求項５】
前記コレステリック相液晶層は単一ピッチのコレステリック相液晶を含む、請求項１又は２に記載の偏光光学モジュール。
【請求項６】
前記λ／４波長板の進相軸又は遅相軸と前記直線偏光板の光透過軸との夾角が４５°である、請求項１〜５のいずれか１項に記載の偏光光学モジュール。
【請求項７】
発光素子と、請求項１〜６のいずれか１項に記載の偏光光学モジュールとを含み、前記偏光光学モジュールが前記発光素子の光出射側に設けられることを特徴とするＯＬＥＤデバイス。
【請求項８】
前記発光素子は、陰極と、陽極と、前記陰極と前記陽極の間に設けられる有機機能層とを含み、前記有機機能層からの発光は少なくとも前記陰極を透過して出射される、請求項７に記載のＯＬＥＤデバイス。
【請求項９】
前記偏光光学モジュールは前記陰極の前記有機機能層と離れた側に設けられ、且つ前記偏光光学モジュールにおけるコレステリック相液晶層は前記有機機能層から発光された光線の一部を反射できる、請求項８に記載のＯＬＥＤデバイス。
【請求項１０】
前記有機機能層は、発光層と、前記発光層と前記陽極の間に設けられる正孔注入層と、前記発光層と前記陰極の間に設けられる電子注入層とを含む、請求項８又は９に記載のＯＬＥＤデバイス。
【請求項１１】
前記有機機能層はさらに、前記正孔注入層と前記発光層の間に設けられる正孔輸送層と、前記電子注入層と前記発光層の間に設けられる電子輸送層とを含む、請求項１０に記載のＯＬＥＤデバイス。
【請求項１２】
請求項７〜１１のいずれか１項に記載のＯＬＥＤデバイスを含むサブピクセルを複数個含むことを特徴とする表示装置。
【請求項１３】
全ての前記ＯＬＥＤデバイスの偏光光学モジュールは一体化構造である、請求項１２に記載の表示装置。
【請求項１４】
発光素子を提供する工程；及び前記発光素子の光出射側に偏光光学モジュールを形成する工程を含むことを特徴とするＯＬＥＤデバイスの製造方法。
【請求項１５】
前記発光素子を提供する工程は、
下地基板を提供すること、
前記下地基板上に陽極、有機機能層及び陰極をこの順に形成し、且つ前記有機機能層か  らの発光が少なくとも前記陰極を透過して出射されること
を含む、請求項１４に記載のＯＬＥＤデバイスの製造方法。
【請求項１６】
前記発光素子の光出射側に前記偏光光学モジュールを形成する工程は、
前記陰極の前記有機機能層と離れた側に前記偏光光学モジュールを形成し、前記偏光光学モジュールにおけるコレステリック相液晶層は前記有機機能層から発光された光線の一部を反射できること
を含む、請求項１５に記載のＯＬＥＤデバイスの製造方法。
【発明の詳細な説明】
【技術分野】
【０００１】
本発明の実施態様は、偏光光学モジュール、ＯＬＥＤデバイス及び製造方法、表示装置に関する。
【背景技術】
【０００２】
ＯＬＥＤ（Organic Light Emitting Diode、有機発光ダイオード）デバイスは有機薄膜エレクトロルミネッセンスデバイスであり、簡単な製造工程、低コスト、低消費電力、高い発光輝度、広い範囲の作業温度、軽薄な体積、速い応答速度、可撓性構造を形成し易く、視野角が広いなどの利点を有する。従って、有機発光ダイオードに基づく表示技術は既に重要な表示技術になっている。
【０００３】
ＯＬＥＤデバイスは、陰極、有機機能層及び陽極を含み、陰極は一般的に金属或いは金属合金で形成される。金属或いは金属合金は外光に対する反射率が比較的に高いため、有機機能層からの発光が陰極を透過して出射される場合、人の目で感じるＯＬＥＤデバイスの表示輝度は予定の表示輝度と、陰極金属により人の目に反射される外光の輝度との合計であり、即ちＯＬＥＤデバイスの表示輝度にはずれが発生し、それによってＯＬＥＤデバイスの表示効果を影響する。
【発明の概要】
【発明が解決しようとする課題】
【０００４】
本発明の実施態様は、偏光光学モジュール、ＯＬＥＤデバイス及び製造方法、表示装置を提供し、前記表示装置は、外光の反射を減少させる前提で光出射量を増やすことができる。
【０００５】
本発明の一つの実施態様は、コレステリック相液晶層、λ／４波長板及び直線偏光板を含む偏光光学モジュールであって、前記λ／４波長板は前記コレステリック相液晶層と前記直線偏光板の間に設けられ、前記λ／４波長板の進相軸又は遅相軸は前記直線偏光板の光透過軸と夾角をなし、且つ外光が前記直線偏光板、前記λ／４波長板を順次に通してなる偏光は、前記コレステリック相液晶層を透過することができる偏光光学モジュールを提供する。
【０００６】
前記コレステリック相液晶層は重合性コレステリック相液晶が重合してなる高分子薄膜であってもよい。
【０００７】
前記コレステリック相液晶層はピッチが異なるコレステリック相液晶を少なくとも２種含んでもよい。
【０００８】
前記コレステリック相液晶は複数のサブ層を含み、厚み方向に沿って全てのサブ層のピッチが勾配分布してもよい。
【０００９】
前記コレステリック相液晶層は単一ピッチのコレステリック相液晶を含んでもよい。
【００１０】
前記λ／４波長板の進相軸又は遅相軸と前記直線偏光板の光透過軸との夾角が４５°であってもよい。
【００１１】
一方、本発明の別の実施態様は、発光素子と前記偏光光学モジュールとを含み、前記偏光光学モジュールが前記発光素子の光出射側に設けられるＯＬＥＤデバイスを提供する。
【００１２】
前記発光素子は、陰極と、陽極と、前記陰極と前記陽極の間に設けられる有機機能層とを含み、前記有機機能層からの発光は少なくとも前記陰極を透過して出射されてもよい。
【００１３】
前記偏光光学モジュールは前記陰極の前記有機機能層と離れた側に設けられ、且つ前記偏光光学モジュールにおけるコレステリック相液晶層は前記有機機能層から発光された光線の一部を反射できてもよい。
【００１４】
前記有機機能層は、発光層と、前記発光層と前記陽極の間に設けられる正孔注入層と、前記発光層と前記陰極の間に設けられる電子注入層とを含んでもよい。
【００１５】
前記有機機能層はさらに、前記正孔注入層と前記発光層の間に設けられる正孔輸送層と、前記電子注入層と前記発光層の間に設けられる電子輸送層とを含んでもよい。
【００１６】
また、本発明のもう一つの実施態様は、上記何れか１項に記載のＯＬＥＤデバイスを含むサブピクセルを複数個含む表示装置を提供する。
【００１７】
全ての前記ＯＬＥＤデバイスの偏光光学モジュールは一体化構造であってもよい。
【００１８】
さらに、本発明のもう一つの実施態様は、発光素子を提供する工程；及び前記発光素子の光出射側に偏光光学モジュールを形成する工程を含むＯＬＥＤデバイスの製造方法を提供する。
【００１９】
前記発光素子を提供する工程は、
下地基板を提供すること；
前記下地基板上に陽極、有機機能層及び陰極をこの順に形成し、且つ前記有機機能層からの発光が少なくとも前記陰極を透過して出射されることを含んでもよい。
【００２０】
前記発光素子の光出射側に前記偏光光学モジュールを形成する工程は、
前記陰極の前記有機機能層と離れた側に前記偏光光学モジュールを形成し、前記偏光光学モジュールにおけるコレステリック相液晶層は前記有機機能層から発光された光線の一部を反射できることを含んでもよい。
【図面の簡単な説明】
【００２１】
本発明の実施態様の技術構成をより明確に説明するために、実施態様の図面について次のように簡単に説明する。次に説明する図面は、本発明の一部の実施例にしか関わっておらず、本発明を制限するものではないことは明らかである。
【００２２】
【図１】ＯＬＥＤデバイスの、外光に対する反射経路の模式図である。
【図２】図１に示されるＯＬＥＤデバイスの有機機能層が発光された光線は外部に出射する光路の模式図である。
【図３】本発明実施態様で提供される偏光光学モジュールの構造模式図である。
【図４】図３のコレステリック相液晶層の構造模式図一である。
【図５】図３のコレステリック相液晶層の構造模式図二である。
【図６】図３のコレステリック相液晶層の構造模式図三である。
【図７】本発明実施態様で提供されるＯＬＥＤデバイスの構造模式図である。
【図８】外光が図７に示されるＯＬＥＤデバイスに入射した後に反射される経路の模式図である。
【図９】図７に示されるＯＬＥＤデバイスの有機機能層が発光した光を外部に出射する光路の模式図である。
【図１０】本発明実施態様で提供されるもう一つのＯＬＥＤデバイスの構造模式図である。
【発明を実施するための形態】
【００２３】
本発明の実施態様の目的、技術構成及び利点をさらに明確するために、以下に本発明の実施態様の図面を参照して、本発明の実施態様の技術構成を明確に、全面的に説明する。明らかなように、記載されている実施態様は本発明の一部の実施例であり、全部の実施例ではない。記載されている本発明の実施例に基づいて、当業者が創造的な労働が要らない前提で得られるその他の実施例も、本発明の保護範囲に属するものである。
【００２４】
別途定義する場合を除き、ここで使用する技術用語または科学技術用語は、本発明が属する分野における一般的な技能を有する者が理解する通常の意味である。本発明で使用される「第一」、「第二」及び類似用語は順序、数量或いは重要性を意味しなく、異なる組成部分を区分するためのものに過ぎない。同様に、「Ａは、Ｂを含む」または「Ａは、Ｂを備える」などの類似の表現は、Ａという素子または部材が、Ｂとして列挙された素子または部材、及びその均等物を含むことを意味し、その他の素子または部材を排除するわけではない。「接続」または「接合」などの類似の用語は、物理的または機械的な接続に限られず、電気的な接続を含み、直接でも間接でも構わない。「上」、「下」、「左」、「右」などは相対的な位置関係の表示のみに用いるものであり、記載される対象の絶対的位置が変わった場合、その相対的な位置関係も相応に変化する可能性がある。
【００２５】
なお、本発明の実施例で記載される「左回り」又は「右回り」はいずれも同じ観察方向から観察されるものである。
【００２６】
図１はＯＬＥＤデバイスの外光に対する反射経路の模式図である。例えば、図１に示される通り、陰極１の有機機能層２と離れた側に円偏光板４（例えば直線偏光板５とλ／４波長板６とを複合して得ることができる）を設けることで上記課題を改善できる。図１に示される通り、外部光線Ｔ中の、直線偏光板５の光透過軸（即ち、偏光方向）に平行する光線は直線偏光板５を透過し、直線偏光板５の、光透過軸に垂直する光線は直線偏光板５に吸収される。即ち、外部光線Ｔが直線偏光板５により輸送された後に、偏光方向が直線偏光板５の光透過軸に平行する直線偏光Ｘ１に変換している。λ／４波長板６の進相軸又は遅相軸と直線偏光板５の光透過軸との夾角が４５°である場合、直線偏光Ｘ１の偏光方向とλ／４波長板６の進相軸又は遅相軸との夾角が４５°になり、且つ直線偏光Ｘ１はλ／４波長板６を通して右回りの円偏光または左回りの円偏光Ｘ２に変換する（ここで左回りの円偏光を例として説明する）。左回りの円偏光Ｘ２は陰極１に反射されて右回りの円偏光Ｘ３に変換する。右回りの円偏光Ｘ３はλ／４波長板６を通して直線偏光Ｘ４に変換し、且つ当該直線偏光Ｘ４の偏光方向とλ／４波長板６の進相軸又は遅相軸との夾角が−４５°である。このように、直線偏光Ｘ４の偏光方向は直線偏光Ｘ１の偏光方向と垂直し、即ち直線偏光Ｘ４の偏光方向は直線偏光板５の光透過軸と垂直するため、当該直線偏光Ｘ４は直線偏光板５に吸収され、射出することができない。これによって陰極金属が外部光線を人の目に反射することを防止し、室外での読みやすさを向上させることができる。
【００２７】
図２は、図１に示されるＯＬＥＤデバイスの有機機能層から発光された光線が外部に出射する光路の模式図である。例えば、図２に示される通り、ＯＬＥＤデバイスの有機機能層２から発光された光線Ｒは、直線偏光、楕円偏光及び円偏光のようなさまざまな偏光状態の光を含み、光線Ｒが陰極１とλ／４波長板５を通過した後、全体的な偏光状況はほぼ変わらない。前記光線がさらに直線偏光板５により輸送された後、光線Ｒ中の、直線偏光板５の偏光方向に平行する光線が透過し且つ表示に用いられることができ、直線偏光板５の偏光方向に垂直する光線が直線偏光板５に吸収される。従って、ＯＬＥＤデバイスの有機機能層から発光された光線は図１又は図２に示される円偏光板を通過した後、光線強度が少なくとも半分低下し、それによってＯＬＥＤデバイスの表示輝度は明らかに低下する。
【００２８】
本発明は偏光光学モジュール、ＯＬＥＤデバイス及び製造方法、表示装置を提供し、前記偏光光学モジュールは、前記偏光光学モジュールを含むＯＬＥＤデバイス及び表示装置の光出射率を向上させることができる。以下、本発明の実施態様に基づく偏光光学モジュール、ＯＬＥＤデバイス及び製造方法、表示装置をいくつかの実施例で説明する。
（実施例１）
【００２９】
本発明の実施例は偏光光学モジュールを提供し、図３に示されるように、当該偏光光学モジュール７は、液晶層８（例えばコレステリック相液晶層８）と、λ／４波長板６と直線偏光板５とを含み、λ／４波長板６はコレステリック相液晶層８と直線偏光板５の間に設けられ、λ／４波長板の進相軸又は遅相軸は直線偏光板の光透過軸と夾角をなし、且つ外光が直線偏光板、λ／４波長板を順次に通してなる偏光はコレステリック相液晶層を透過することができる。
【００３０】
一般的に波長板において進相軸又は遅相軸という二つの方向を定義し、偏光方向が進相軸に沿う光の伝播速度が速く、前記進相軸に垂直する方向は即ち遅相軸であり、つまり、偏光方向が遅相軸に沿う光の伝播速度は比較的に遅い。λ／４波長板の進相軸又は遅相軸と直線偏光板の光透過軸との夾角が４５°であれば、外光は直線偏光板とλ／４波長板を順次に通して左回り（又は右回り）円偏光になる。λ／４波長板の進相軸又は遅相軸と直線偏光板の光透過軸との夾角がα（α≠４５°）であれば、外光は直線偏光板とλ／４波長板を順次に通して左回り（又は右回り）楕円偏光になる。前記直線偏光板には、偏光方向が前記直線偏光板の光透過軸に平行する光線しか通過できず、同時に前記光透過軸の方向に垂直振動する光線をろ過して除く。ここの光透過軸は偏光軸と称されてもよい。
【００３１】
コレステリック相液晶分子は偏平状を呈し、層に配列して、層における分子は互いに平行し、分子の長軸は層平面に平行し、異なる層の分子の長軸方向はやや変化し、層の法線方向に沿って螺旋状構造に配列する。前記螺旋状構造は左回り又は右回りをする。螺旋状構造の回転方向に応じて、コレステリック相液晶層を左回りのコレステリック相液晶層と右回りのコレステリック相液晶層に分けることができる。
【００３２】
外光が直線偏光板、λ／４波長板を順次に通してなる偏光がコレステリック相液晶層を透過できることとは、外光が直線偏光板、λ／４波長板を順次に通してなる左回り又は右回りの偏光がコレステリック相液晶層を完全又は部分的に透過できることを指す。即ち、外光が直線偏光板、λ／４波長板を順次に通してなる偏光の回転方向はコレステリック相液晶層の回転方向と同じである。
【００３３】
前記偏光光学モジュールを表示装置に応用する場合、当該表示装置は、外光の反射を減少させると同時に、光出射量を増やすことができる。
【００３４】
製造コストを低下させるために、前記コレステリック相液晶層は重合性コレステリック相液晶が重合してなる高分子薄膜であってもよい。
【００３５】
以下、ピッチの概念を説明する。コレステリック液晶は複数層の分子を含み、各層の分子の配列方向が同じであるが、隣接２層の分子の配列方向はやや回転し、層同士が螺旋構造に積層され、分子の配列が３６０度回転して元の方向に戻る場合、分子配列が完全に同一である２層の間の距離をコレステリック液晶のピッチと称する。実際のニーズに応じて、コレステリック液晶にキラル剤などを添加してピッチを変えることができる。コレステリック相液晶層はピッチが異なるコレステリック相液晶を多種含んでもよく、また、単一ピッチのコレステリック相液晶を含んでもよく、具体的には実際の状況に応じて定める。入射光の波長がコレステリック相液晶のピッチと一致する場合、コレステリック相液晶には、その回転方向と一致する入射光を透過させることができ、且つその回転方向に相反する入射光を反射させる。入射光の波長がコレステリック相液晶のピッチと一致しない場合、コレステリック相液晶には、全ての入射光を透過させることができる。従って、ピッチを調節することによって入射光に対する反射又は透過状況を変えることができる。
【００３６】
コレステリック相液晶層はピッチが異なるコレステリック相液晶を少なくとも２種含んでもよい。前記コレステリック相液晶のピッチは図４のように秩序がなく分布してもよく、図５のように一定の規律で分布してもよい。このようなコレステリック相液晶層は全可視光波長を反射できるようにピッチを調整することで、カラーＯＬＥＤディスプレーに応用することができる。
【００３７】
図５に示される通り、コレステリック相液晶層は複数個のサブ層１４を含み、厚み方向に沿って全てのサブ層１４のピッチは勾配分布してもよい。ここで、コレステリック相液晶層は、２つのサブ層、或いは図５に示されるように３つのサブ層、さらには３つ以上のサブ層を含んでもよく、制限はない。ここでの勾配分布は厚み方向に沿う全てのサブ層のピッチが順次に減少するか或いは順次に増加することであり、図５は順次に減少することを例として描かれるものである。
【００３８】
図６に示されるように、コレステリック相液晶層は単一ピッチのコレステリック相液晶を含んでもよい。このようなコレステリック相液晶層は、特定波長を反射できるようにピッチを調整し、それによって種々の単色ＯＬＥＤディスプレーに応用することができる。
【００３９】
なお、図４と図６において、Ｌ１、Ｌ２、Ｌ３、Ｌ４を用いてピッチを示し、異なる数字記号は異なる大きさを示す。
【００４０】
製造の難しさを低下させるために、λ／４波長板の進相軸又は遅相軸と直線偏光板の光透過軸との夾角が４５°である。この構造において、外光は直線偏光板とλ／４波長板を順次に通して左回り（又は右回り）の円偏光になる。
（実施例２）
【００４１】
本発明の実施例はＯＬＥＤデバイスを提供し、図７に示されるように、前記ＯＬＥＤデバイスは発光素子と、実施例１で提供されたいずれかの偏光光学モジュール７とを含む。発光素子は、陰極１と、陽極３と、陰極１と陽極３の間に設けられる有機機能層２とを含んでもよく、陰極１の材料として例えば金属又は金属合金が挙げられ、有機機能層３からの発光は少なくとも陰極１を通して出射される。偏光光学モジュール７は陰極１の、有機機能層２と離れた側に設けられ、且つ偏光光学モジュール７のコレステリック相液晶層８は有機機能層３から発光された光線の一部を反射することができる。
【００４２】
前記偏光光学モジュールにおけるコレステリック相液晶層は有機機能層から発光された光線の一部を反射できるため、コレステリック相液晶層に含まれるコレステリック相液晶のピッチ値の少なくとも一部が有機機能層から発光された光線の波長と一致する。有機機能層から発光された光線を左回りの偏光または右回りの偏光に分けることがき、コレステリック相液晶層は反対回転方向の光線を反射させ、同一回転方向の光線を透過させる。例えばコレステリック相液晶層が左回り型であり、含まれるコレステリック相液晶のピッチ値の少なくとも一部が有機機能層から発光された光線の波長と一致する場合、有機機能層から発光された左回りの偏光はコレステリック相液晶層を透過でき、右回り偏光はコレステリック相液晶層に反射される。
【００４３】
上記ＯＬＥＤデバイスにおいて、本発明の実施例は陰極と陽極の相対位置の関係を限定せず、例としての図７に示されるように、陰極１は陽極３の上に設けられてもよい。当然ながら、陰極は陽極の下に設けられてもよい。ここで、図７に示される構造のみを例として説明する。有機機能層からの発光が少なくとも陰極を通して出射されることとは、有機機能層からの発光が陰極のみを通して出射されることができ、これによって片面発光デバイスを形成できる。当然ながら、有機機能層からの発光は陰極及び陽極を通して出射されてもよく、これによって両面発光デバイスを形成できる。本発明実施例はこれを限定しない。
【００４４】
前記ＯＬＥＤデバイスにおいて、本発明の実施例の陰極の材料が限定されず、陰極の材料の例として、マグネシウム（Ｍｇ）、銀（Ａｇ）、アルミニウム（Ａｌ）、リチウム（Ｌｉ）、カリウム（Ｋ）又はカルシウム（Ｃａ）などの金属が挙げられ、また、例えばマグネシウム銀合金、リチウムアルミニウム合金などの金属合金も挙げられる。また、本発明実施例の陽極の材料も限定されず、一般的に、正孔の有機機能層への注入のために、陽極の材料としてＩＴＯ（インジウムスズ酸化物）がよく使われる。
【００４５】
以下、外光が直線偏光板及びλ／４波長板を順次に通して左回りの偏光になり、且つコレステリック相液晶層が左回り型であることを例として、前記ＯＬＥＤデバイスが如何に外光の反射を減少させる前提で光出射量を増やすかを具体的に説明する。
【００４６】
まず、外光を当該ＯＬＥＤデバイスに入射した後に反射される経路を説明する。
【００４７】
図８に示されるように、外部光線Ｔが直線偏光板５に入射した後、外部光線Ｔにおける、直線偏光板５の偏光方向に平行する直線偏光Ｐ１が透過し、直線偏光板５の偏光方向に垂直するＳ光が吸収される。透過した直線偏光Ｐ１はλ／４波長板６を通して左回り又は右回りの偏光Ｙ１（ここで左回りの偏光を例として説明する）に変換し、左回りの偏光Ｙ１はコレステリック相液晶層８（左回り型）を通して、陰極１に反射されて右回りの偏光Ｙ２になり、右の偏光Ｙ２はコレステリック相液晶層８（左回り型）に反射され、さらに陰極１に反射されて左回りの偏光Ｙ３になり、左回りの偏光Ｙ３はコレステリック相液晶層８（左回り型）を通した後、λ／４波長板６を通して、偏光方向がＰ１光に平行する直線偏光Ｐ２に変換し、最終に、直線偏光Ｐ２が直線偏光板５を通して外に到着する。
【００４８】
λ／４波長板が９８％の透過率を有し、陰極が４０％の反射率を有し、直線偏光板がＰ１光とＰ２光に対して９８％の透過率を有し、コレステリック相液晶層（左回り）が左回りの偏光に対して９０％の光透過率を有し、右回りの偏光に対して９０％の反射率を有することを例として、前記外部光線に対する反射率を計算する。
【００４９】
前記外部光線に対する反射率：
外部光線Ｔが直線偏光板を通る場合の透過率が９８％×５０％である（外部光線ＴにおけるＰ１光とＳ光の比が１：１）；
直線偏光Ｐ１がλ／４波長板を通る場合の透過率が９８％である；
左回りの偏光Ｙ１がコレステリック相液晶層を通る場合の透過率が９０％である；
左回りの偏光Ｙ１が陰極に反射される確率が４０％である；
右回りの偏光Ｙ２が順次にコレステリック相液晶層、陰極に反射される確率が９０％×４０％である；
左回りの偏光Ｙ３が順次にコレステリック相液晶層、λ／４波長板を通る場合の透過率が９０％×９８％である；
直線偏光Ｐ２が直線偏光板を通る場合の透過率が９８％である；
従って、外部光線に対する最終的な反射率が：９８％×５０％×９８％×９０％×４０％×９０％×４０％×９０％×９８％×９８％＝５．３％である。
【００５０】
前記計算方法は、光の伝播における損失を考慮しないため、本発明の構造の、外光に対する最大反射率は５．３％である一方、図１に示されるような従来技術の構造において、反射率は約４％〜５％程度であり、即ち本発明は、外光に対して比較的に低い反射率を確保でき、外光の反射を減少することができる。
【００５１】
次いで、前記ＯＬＥＤデバイスの光出射経路を説明する。
【００５２】
図９に示されるように、ＯＬＥＤデバイスの有機機能層２は光線Ｒを発光し、１：１で光線Ｒを左回りの偏光と右回りの偏光に分けることがき、ＯＬＥＤデバイスから発光された光線の類型は必要に応じて設定されてもよく、これについて本発明の実施例は具体的な限定がない。例えば、実際に応用する際の需要に応じて、ＯＬＥＤデバイスが直線偏光を出射してもよいが、本発明の実施例はこれに限定されない。さらに、例えば実際に応用する際の需要に応じて、ＯＬＥＤデバイスは他の類型の光、例えば各種の偏光の混合光を出射してもよい。例えば、光線Ｒはコレステリック相液晶層８（左回り）を通した後、左回りの偏光Ｗ１が透過し、右回りの偏光Ｗ２が反射される。一方、左回りの偏光Ｗ１はλ／４波長板６を通して偏光方向が直線偏光板５の偏光方向に平行するＰ３光に変換され、Ｐ３光は直線偏光板５を通して外に到着する。一方、右回りの偏光Ｗ２はコレステリック相液晶層８（左回り）に反射された後、伝播方向が変化し、陰極１に入射し、陰極１に反射されて左回りの偏光Ｗ３になり、この時、左回りの偏光Ｗ３はコレステリック相液晶層８（左回り）を通して、続いてλ／４波長板６を経て偏光方向が直線偏光板５の偏光方向に平行するＰ４光に変換し、Ｐ４光は直線偏光板５を通して外に到着する。
【００５３】
同様に、λ／４波長板が９８％の透過率を有し、金属電極が４０％の反射率を有し、直線偏光板がＰ光に対して９８％の透過率を有し、コレステリック相液晶層（左回り）が左回りの偏光に対して９０％の光透過率を有し、右回りの偏光に対して９０％の反射率を有することを例として、前記光出射率を計算する。
【００５４】
有機機能層から発光された光におけるＰ３光の割合が４５％×９８％×９８％＝４３．２％である；
有機機能層から発光された光におけるＰ４光の割合が４５％×４０％×９０％×９８％×９８％＝１５．６％である；
即ち合計光出射率は４３．２％+１５．６％＝５８．８％である。
【００５５】
一方、従来技術において、図１に示されるような構造の光出射率が９８％×５０％×９８％＝４８％である。
【００５６】
上記データを比較すると、本発明のＯＬＥＤデバイスの光出射率が２２．５％増加したことが分かる。従来技術に比べ、本発明は陰極とλ／４波長板の間にコレステリック相液晶層を増設することで、本来外に到着できない有機機能層から発光された光線を改めて利用し、光出射量を大幅に増加させる。
【００５７】
要約すると、本発明のＯＬＥＤデバイスの光出射率は５８．８％に達し、外光に対する反射率は最大５．３％に達する。一方、従来技術での光出射率は４８％であり、外光に対する反射率は４％〜５％程度である。比較すれば分かるように、本発明のＯＬＥＤデバイスの光出射率は２２．５％増加したと同時に、外光に対する比較的に低い反射率を確保することもできる。即ち、本発明が提供するＯＬＥＤデバイスは外光の反射を減少する前提で、光出射量を増加することができる。
【００５８】
なお、図１、２、８及び９において、直線偏光板５の光透過軸はＡ−Ｂの方向と同じく、λ／４波長板の進相軸及び遅相軸はそれぞれＡ１−Ｂ１の方向、Ａ２−Ｂ２の方向と同じく、本発明の実施例及び図面はλ／４波長板の進相軸又は遅相軸と直線偏光板の光透過軸との夾角が４５°であることを例として説明する。
【００５９】
図１０に示されるように、有機機能層２は、発光層９と、発光層９と陽極３の間に設けられる正孔注入層１０と、発光層９と陰極１の間に設けられる電子注入層１１とを含み、正孔注入層は、陽極の正孔の、発光層への注入に有利であり、電子注入層は、陰極の電子の、発光層への注入に有利であり、それによって発光効率が向上される。
【００６０】
有機機能層はさらに、正孔注入層と発光層の間に設けられる正孔輸送層と、電子注入層と発光層の間に設けられる電子輸送層を含んでもよく、正孔輸送層は、正孔の、発光層への輸送に有利であり、電子輸送層は、電子の、発光層への輸送に有利であり、それによって発光効率がさらに向上される。
（実施例３）
【００６１】
本発明の実施例は、実施例２により提供されるいずれかのＯＬＥＤデバイスを含むサブピクセルを複数個含む表示装置を提供する。
【００６２】
前記表示装置は、単色表示を実現するために単色ＯＬＥＤデバイスを含むか或いはカラー表示を実現するために赤色ＯＬＥＤデバイス、緑色ＯＬＥＤデバイス及び青色ＯＬＥＤデバイスを含むことができる。
【００６３】
前記表示装置はＯＬＥＤ（Organic Light-Emitting Diode、有機発光ダイオード）ディスプレーなどの表示デバイス及びこれらの表示デバイスを含むテレビ、デジタルカメラ、携帯電話、タブレットＰＣなどの表示機能を備えるいずれかの製品或いは部品であってもよい。前記表示装置は外光の反射を減少させる前提で、光出射量を増加することができる。
【００６４】
全てのＯＬＥＤデバイスの偏光光学モジュールが一体化構造であってもよい。即ち、前記表示装置に含まれる全ての偏光光学モジュールは一回製膜技術で形成され、例えば、偏光光学モジュールがコレステリック相液晶層、λ／４波長板及び直線偏光板を含むため、全ての偏光光学モジュールのコレステリック相液晶層が一回製膜技術で形成され、全ての偏光光学モジュールのλ／４波長板が一回製膜技術で形成され、全ての偏光光学モジュールの直線偏光板が一回成膜技術で形成される。こうすれば製造難易度及びコストを軽減することができる。
（実施例４）
【００６５】
本発明の実施例は以下の工程を含むＯＬＥＤデバイスの製造方法を提供する。
Ｓ１０：発光素子を提供する工程；及び
Ｓ２０：発光素子の光出射側に偏光光学モジュールを形成する工程。
【００６６】
例えば、ステップＳ１０において、発光素子を提供する工程は、
Ｓ１０１：下地基板を提供すること；
Ｓ１０２：下地基板上に陽極、有機機能層及び陰極をこの順に形成することを含む。
【００６７】
例えば、ステップ１０２において、有機機能層からの発光は少なくとも陰極を通して出射され、陰極の材料として例えば金属や金属合金が挙げられるが、本発明の実施例はこれに限定されない。
【００６８】
例えば、ステップＳ２０において、発光素子の光出射側に偏光光学モジュールを形成することは、陰極の、有機機能層と離れた側に偏光光学モジュールを形成することを含み、ここで、偏光光学モジュールにおけるコレステリック相液晶層は、有機機能層から発光された光線の一部を反射することができる。
【００６９】
偏光光学モジュールの形成は具体的に、陰極の有機機能層と離れた側にコレステリック相液晶層、λ／４波長板及び直線偏光板をこの順に形成することを含んでもよい。
【００７０】
当該方法により形成されるＯＬＥＤデバイスを表示装置に応用する場合、得られる表示装置は外光の反射を減少させる条件下で、光出射量を増やすことができる。
【００７１】
本発明の実施例は偏光光学モジュール、ＯＬＥＤデバイス及び製造方法、表示装置を提供し、前記偏光光学モジュールは、コレステリック相液晶層、λ／４波長板及び直線偏光板を含み、λ／４波長板はコレステリック相液晶層と直線偏光板との間に設けられ、λ／４波長板の進相軸又は遅相軸は直線偏光板の光透過軸と夾角をなし、且つ外光が順次に直線偏光板、λ／４波長板を通してなる偏光はコレステリック相液晶層を透過することができる。前記偏光光学モジュールを表示装置に用い、有機機能層から発光された光線Ｒ（１：１で光線Ｒを左回りの偏光と右回りの偏光に分けることができる）はコレステリック相液晶層（ここで左回りを例として説明する）を通した後、左回りの偏光Ｗ１が透過し、右回りの偏光Ｗ２が反射される。一方、左回りの偏光Ｗ１はλ／４波長板を通して、偏光方向が直線偏光板の光透過軸に平行するＰ３光に変換され、Ｐ３光は直線偏光板を通して外に到着する。また、右回りの偏光Ｗ２はコレステリック相液晶層（左回り）に反射された後、伝播方向が変化して陰極１に照射し、陰極１に反射されて左回りの偏光Ｗ３になり、この時、左回りの偏光Ｗ３はコレステリック相液晶層（左回り）を通過し、続いてλ／４波長板を通して偏光方向が直線偏光板の光透過軸に平行するＰ４に変換され、Ｐ４光は直線偏光板を通して外に到着することができる。本発明の実施例は陰極とλ／４波長板との間にコレステリック相液晶層を増設し、本来外部に到着できない有機機能層から発光された光線を改めて利用させることによって、光出射量を大幅に増加するとともに、外光に対しての比較的に低い反射率を確保することもできる。
【００７２】
以上は本発明の例示的な実施態様に過ぎず、本発明の保護範囲を制限するものではない。本発明の保護範囲は、添付の請求の範囲によって決められる。
【００７３】
本願は、２０１６年０７月０８日に提出した中国特許出願第２０１６１０５３９５６１．８号の優先権を要求し、前記中国特許出願の開示内容を本願の一部分としてここで全文に引用する。
【符号の説明】
【００７４】
１  陰極
２  有機機能層
３  陽極
４  円偏光板
５  直線偏光板
６  λ／４波長板
７  偏光光学モジュール
８  コレステリック相液晶層
９  発光層
１０  正孔注入層
１１  電子注入層
１４  コレステリック相液晶層のサブ層
【図１】
2019522807.tif 000003
【図２】
2019522807.tif 000004
【図３】
2019522807.tif 000005
【図４】
2019522807.tif 000006
【図５】
2019522807.tif 000007
【図６】
2019522807.tif 000008
【図７】
2019522807.tif 000009
【図８】
2019522807.tif 000010
【図９】
2019522807.tif 000011
【図１０】
2019522807.tif 000012
【国際調査報告】
2019522807.tif 000013
2019522807.tif 000014
2019522807.tif 000015
2019522807.tif 000016
2019522807.tif 000017